(57)【要約】【課題】ループアンテナによる磁界通信を行う無線通信装置において、ループアンテナの共振周波数を調整可能としつつも、消費電力を削減することを目的とする。【解決手段】磁界通信のためのループアンテナ２０２と、ループアンテナの共振周波数を調整する少なくとも１つのコンデンサ２１８（調整手段）と、コンデンサを回路に対して接続または切断するＦＥＴ２２０と、ＦＥＴとコンデンサとの間に接続されたプルアップ電源２２４と、コンデンサの有効または無効の情報を記憶する記憶部２１６と、ＦＥＴのＯＮ／ＯＦＦを制御する切替制御部２２２と、磁界通信が行われていることを検知する通信検知部２１４とを備え、切替制御部は、記憶部を参照してコンデンサが有効であり、かつ通信検知部２１４を参照して磁界通信が行われている場合に、ＦＥＴをＯＮさせてコンデンサを有効にすることを特徴とする。【選択図】図３
2010130257.tif 000002
【特許請求の範囲】
【請求項１】
磁界通信のためのループアンテナと、
ループアンテナの共振周波数を調整する少なくとも１つの調整手段と、
前記調整手段を回路に対して接続または切断するＦＥＴと、
前記ＦＥＴと前記調整手段との間に接続されたプルアップ電源と、
前記調整手段の有効または無効の情報を記憶する記憶部と、
前記ＦＥＴのＯＮ／ＯＦＦを制御する切替制御部と、
磁界通信が行われていることを検知する通信検知部とを備え、
前記切替制御部は、前記記憶部を参照して前記調整手段が有効であり、かつ前記通信検知部を参照して磁界通信が行われている場合に、前記ＦＥＴをＯＮさせて前記調整手段を有効にすることを特徴とする無線通信装置。
【請求項２】
磁界通信のためのループアンテナと、
ループアンテナの共振周波数を調整する少なくとも１つの調整手段と、
前記調整手段を回路に対して接続または切断するＦＥＴと、
前記ＦＥＴと前記調整手段との間に接続されたプルアップ電源と、
前記調整手段の有効または無効の情報を記憶する記憶部と、
前記プルアップ電源のＯＮ／ＯＦＦ制御する切替制御部と、
磁界通信が行われていることを検知する通信検知部とを備え、
前記切替制御部は、前記記憶部を参照して前記調整手段が有効であり、かつ前記通信検知部を参照して磁界通信が行われている場合に、前記プルアップ電源をＯＮさせて前記調整手段を有効にすることを特徴とする無線通信装置。
【請求項３】
前記ループアンテナによる磁界通信を行う磁界通信部と、
前記磁界通信部との間で情報交換を行う主制御部と、
前記磁界通信部と前記主制御部に電源を供給する電源部をそれぞれ独立して備えていることを特徴とする請求項１または請求項２に記載の無線通信装置。
【請求項４】
前記記憶部は不揮発性メモリであって、前記主制御部から更新可能であることを特徴とする請求項３に記載の無線通信装置。
【請求項５】
前記調整手段を複数備え、前記記憶部には複数の前記調整手段ごとの有効または無効の情報を記憶しており、
前記切替制御部は前記記憶部を参照し、前記調整手段ごとに有効または無効を切り替えることを特徴とする請求項１または請求項２に記載の無線通信装置。
【請求項６】
前記記憶部は、さらに前記磁界通信部の使用が許可されているか否かを示す使用許否情報を記憶し、
前記切替制御部は、前記記憶部を参照して前記調整手段が有効であり、前記使用許否情報が許可されており、かつ前記通信検知部を参照して磁界通信が行われている場合に、前記調整手段を有効にすることを特徴とする請求項１または請求項２に記載の無線通信装置。
【発明の詳細な説明】
【技術分野】
【０００１】
本発明は、ループアンテナの共振周波数を調整可能な無線通信装置に関する。
【背景技術】
【０００２】
近年、非接触ＩＣチップであるＲＦＩＤ（Radio Frequency Identification）等を用いた近接無線通信が様々な用途で用いられるようになってきており、民生では電子マネーや定期券などの決済に利用されている。また携帯電話やＰＨＳ、ＰＤＡなどの携帯端末の高機能化に伴い、これらの携帯端末にＲＦＩＤが搭載される場合も多くなってきている。
【０００３】
カードなどに内蔵されたパッシブ型のＲＦＩＤでは、リーダーが発生させた磁界によってループアンテナ内に起電力を生じて動作し、かつその電磁波を信号として通信を行う。一方、携帯端末においては、そもそもバッテリを備えていること、およびセキュリティの観点から、アクティブ型のＲＦＩＤが搭載されている。電源を用いるアクティブ型とすることにより、より多くの処理を行うことができるため複数のサービスを切り替えて利用したり、通信可能距離を延長させたりすることができる。また携帯端末の本体側でＲＦＩＤにセキュリティロックをかけて、ロックを解除した場合にのみＩＣチップに電源を供給することにより、セキュリティを向上させることが行われている。
【０００４】
しかしアクティブ型のＲＦＩＤを搭載した携帯端末においても、消費電力を低減させるために、ループアンテナ内に起電力を検知した場合にのみＩＣチップに電源を供給する構成を取っている。したがって、ループアンテナの共振周波数を搬送波（１３．５６ＭＨｚ）と一致させることは、パッシブ型と同様に重要である。
【０００５】
共振周波数は基本的にはアンテナの長さによって決定されるが、アンテナに接続された回路のインダクタンスなどが影響したり、金属が近接してアンテナのインダクタンスが変化したりして、所望の共振周波数を得られない場合がある。特許文献１には、アンテナにコンデンサや付加コイルを設け、コンデンサを切り替えたり、付加コイルにタップを設けて有効長を切り替えたりすることによって、周囲条件にかかわらず共振周波数（同調周波数）を保つ構成が提案されている。
【特許文献１】特開２００１−３４４５７４
【発明の開示】
【発明が解決しようとする課題】
【０００６】
上記の特許文献１において、コンデンサやコイルのタップの切替は、ロータリースイッチや半導体スイッチを利用できるとしている。半導体スイッチはトランジスタを意味していると考えられる。特許文献１では、トランジスタをアンテナとコンデンサの間に配置し、トランジスタをＯＮすることによってアンテナとコンデンサとを導通させる回路が例示されている。
【０００７】
しかし、アンテナとコンデンサとの間にトランジスタを配置すると、トランジスタのＯＮ抵抗やインダクタンスを考慮しなくてはならなくなるため、回路設計が難しくなる。そのため、トランジスタはコンデンサよりもグランド側に配置することが好ましい。
【０００８】
ところで、トランジスタ（以下、ｎ型のＭＯＳＦＥＴを例に用いて説明する。）は内部に寄生ダイオードが形成されるため、グランド線に流れる電流がコンデンサに到達してしまう（ソースからドレインに電流が流れる）。このため、グランド線に流れるコモンモードノイズがコンデンサに入り込み、信号にノイズが乗ってしまうおそれがある。またドレイン−ソース間よりもゲートへの入力電圧が高いとラッチアップが起こってＦＥＴがＯＮしたままとなってしまうおそれもある。そのため、トランジスタのドレインにプルアップ電源を接続し、ドレイン側の電圧を高くしておく必要がある。
【０００９】
トランジスタがＯＦＦである場合にはプルアップ電源からの電流は流れず、トランジスタのドレイン側の電圧はプルアップ電源の電圧と同電位となる。しかしトランジスタをＯＮすると、プルアップ電源からトランジスタを介してグランドへとリーク電流が流れてしまう。このリーク電流はプルアップ抵抗の抵抗値を高くすることによって低減させることはできるものの、バッテリの電力を無駄に消費してしまう点については変わりがなく、携帯端末の稼働時間を不必要に短縮させる要因となっていた。
【００１０】
そこで本発明は、ループアンテナによる磁界通信を行う無線通信装置において、ループアンテナの共振周波数を調整可能としつつも、消費電力を削減することを目的としている。
【課題を解決するための手段】
【００１１】
上記課題を解決するために、本発明に係る無線通信装置の代表的な構成は、磁界通信のためのループアンテナと、ループアンテナの共振周波数を調整する少なくとも１つの調整手段と、調整手段を回路に対して接続または切断するＦＥＴと、ＦＥＴと調整手段との間に接続されたプルアップ電源と、調整手段の有効または無効の情報を記憶する記憶部と、ＦＥＴのＯＮ／ＯＦＦを制御する切替制御部と、磁界通信が行われていることを検知する通信検知部とを備え、切替制御部は、記憶部を参照して調整手段が有効であり、かつ通信検知部を参照して磁界通信が行われている場合に、ＦＥＴをＯＮさせて調整手段を有効にすることを特徴とする。
【００１２】
また本発明に係る無線通信装置の他の代表的な構成は、磁界通信のためのループアンテナと、ループアンテナの共振周波数を調整する少なくとも１つの調整手段と、調整手段を回路に対して接続または切断するＦＥＴと、ＦＥＴと調整手段との間に接続されたプルアップ電源と、調整手段の有効または無効の情報を記憶する記憶部と、プルアップ電源のＯＮ／ＯＦＦ制御する切替制御部と、磁界通信が行われていることを検知する通信検知部とを備え、切替制御部は、記憶部を参照して調整手段が有効であり、かつ通信検知部を参照して磁界通信が行われている場合に、プルアップ電源をＯＮさせて調整手段を有効にすることを特徴とする。
【００１３】
ループアンテナによる磁界通信を行う磁界通信部と、磁界通信部との間で情報交換を行う主制御部と、磁界通信部と主制御部に電源を供給する電源部をそれぞれ独立して備えていてもよい。
【００１４】
記憶部は不揮発性メモリであって、主制御部から更新可能であることが好ましい。
【００１５】
さらに調整手段を複数備え、記憶部には複数の調整手段ごとの有効または無効の情報を記憶しており、切替制御部は記憶部を参照し、調整手段ごとに有効または無効を切り替えてもよい。
【００１６】
記憶部は、さらに磁界通信部の使用が許可されているか否かを示す使用許否情報を記憶し、切替制御部は、記憶部を参照して調整手段が有効であり、使用許否情報が許可されており、かつ通信検知部を参照して磁界通信が行われている場合に、調整手段を有効にすることが好ましい。
【発明の効果】
【００１７】
本発明によれば、ループアンテナによる磁界通信を行う無線通信装置において、ループアンテナの共振周波数を調整可能としつつも、消費電力を削減することができる。
【発明を実施するための最良の形態】
【００１８】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
以下の実施形態では、携帯端末の例として携帯電話を例に用いて説明する。しかし本発明に係る携帯端末は、バッテリで駆動し可搬性を有する装置であれば適用することができ、例えばＰＨＳ（Personal Handy-pone System）端末、パーソナルコンピュータ、ノート型パーソナルコンピュータ等に設けられたＰＣＭＣＩＡスロットまたはＵＳＢ（Universal Serial Bus）に装着する増設デバイス、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等電子メールを取得可能な様々な電子機器を挙げることができる。
【００２０】
［第１実施形態］
図１は第１実施形態に係る携帯端末の概略構成を説明する機能ブロック図、図２は記憶部の構成を説明する図である。携帯端末１０は、本体機能部１００と、ＲＦＩＤ部２００とから構成されている。本体機能部１００とＲＦＩＤ部２００は、後述するように同じバッテリ１２から個別に電力を供給されて動作する。
【００２１】
本体機能部１００は、主制御部１１０と、主電源部１１２と、メモリ１２０と、表示部１２２と、操作部１２４と、音声入力部１２６と、音声出力部１２８と、無線通信部１３０とを含んで構成される。
【００２２】
まず、本体機能部１００について説明する。主制御部１１０は、中央処理装置（ＣＰＵ）を含む半導体集積回路により携帯端末１１０全体を管理および制御し、メモリ１２０に格納されているプログラムを用いて、通話機能、メール送受信機能、撮像機能、音楽再生機能、ＴＶ視聴機能も遂行する。また、磁界通信部２１０との間で情報交換を行い、電子マネーや決済などの磁界通信を用いた所定の処理を行うことができる。
【００２３】
主電源部１１２は、バッテリ１２から供給される電力を所定の電圧に整えて、主制御部１１０を含む本体機能部１００に供給する。なお、主電源部１１２はＲＦＩＤ部２００には電力を供給しない。主電源部１１２は、例えば一時的に電荷を蓄積するコンデンサや、所定の電圧を生成するレギュレータなどを備えている。
【００２４】
メモリ１２０は、ＲＯＭ、ＲＡＭ、ＥＥＰＲＯＭ、不揮発性ＲＡＭ、フラッシュメモリ、ＨＤＤ等で構成され、主制御部１１０で処理されるプログラムを記憶する。本実施形態において、メモリ１２０は、アクセスポイント記憶部１３２としても機能する。
【００２５】
表示部１２２は、液晶ディスプレイ、ＥＬ(Electro Luminescence)ディスプレイ等で構成され、発信または着信する相手の電話番号や、メーラーやブラウザなどのアプリケーションのＧＵＩ（Graphical User Interface）を表示する。
【００２６】
操作部１２４は、キーボード、十字キー、ジョイスティック等のスイッチから構成され、ユーザの操作入力を受け付ける。音声入力部１２６は、マイク等の音声変換手段で構成され、通話時に入力されたユーザの音声を携帯端末１０内で処理可能な電気信号に変換する。音声出力部１２８はスピーカで構成され、携帯端末１０で受信した通話相手の音声信号を音声に変えて出力する。また、音声出力部１２８は、着信音や、操作部１２４の操作確認音、アラーム音等も出力できる。
【００２７】
無線通信部１３０は、例えば、ＣＤＭＡ（Code Division Multiple Access）方式に基づいた無線通信方式を通じて基地局との無線通信を確立し、通信相手との音声通信やＷｅｂ情報の取得等のデータ通信を実行する。
【００２８】
ＲＦＩＤ部２００は、ループアンテナ２０２と、磁界通信部２１０と、ＲＦＩＤ電源部２１２と、通信検知部２１４と、記憶部２１６と、調整手段の例としてのコンデンサ２１８と、ＦＥＴ２２０と、切替制御部２２２と、プルアップ電源２２４とを備えている。
【００２９】
ループアンテナ２０２は磁界通信のための環状のアンテナであって、リーダ（不図示）から発せられる磁界によって起電力を生じ、その電流を信号として磁界通信部２１０に伝達する。磁界通信部２１０は、非接触ＩＣチップを含んで構成することができ、ループアンテナ２０２によって通信される情報の処理を行う。
【００３０】
ＲＦＩＤ電源部２１２は、バッテリ１２から供給される電力を所定の電圧に整えて、磁界通信部２１０を含むＲＦＩＤ部２００に供給する。ＲＦＩＤ電源部２１２は、主制御部１１０からＯＮ／ＯＦＦ可能な構成となっている。なお、ＲＦＩＤ電源部２１２は本体機能部１００には電力を供給しない。ＲＦＩＤ電源部２１２は、例えば一時的に電荷を蓄積するコンデンサや、所定の電圧を生成するレギュレータなどを備えている。
【００３１】
ＲＦＩＤ部２００のＲＦＩＤ電源部２１２を本体機能部１００の主電源部１１２とは別に設けたことにより、磁界通信部２１０に対する電源の供給を個別に制御することができる。したがって例えば、磁界通信部２１０を使用しない場合には、これに対する電源の供給を停止することができる。これにより、磁界通信を行う機能が搭載された携帯端末１０においても、その機能を使用しない場合には消費電力を確実に削減することができる。
【００３２】
通信検知部２１４は、ループアンテナ２０２に生じた起電力を検知して、磁界通信が行われているか否かを検知する。また、起電力に加えて、さらに磁界通信の搬送波を検知した場合に磁界通信が開始されたと判断してもよい。通信検知部２１４は、磁界通信が開始されたと検知した場合には、磁界通信部２１０にその旨を通知する。
【００３３】
記憶部２１６は、図２（ａ）に示すように、後述するコンデンサ２１８の有効または無効の情報を記憶する。コンデンサ２１８が複数設置されている場合には、コンデンサ２１８ごとにその有効または無効の情報を記憶する。これらの情報は、ビットによってフラグを立てることによって情報とすることができる。記憶部２１６は不揮発性のメモリで構成されており、電源を切っても調整手段の有効または無効の情報を保持することができる。また記憶部２１６に記憶される情報は、本体機能部１００の主制御部１１０から更新することができる。
【００３４】
また記憶部２１６には、図２（ｂ）に示すように、さらにＲＦＩＤ部２００の使用許否情報を記憶することができる。使用許否情報は、例えばビットによってフラグを立てることによって許可または不可の情報とすることができる。使用許否情報はセキュリティを目的としたものであり、本体機能部１００において使用者が操作部１２４を操作することによってＲＦＩＤ部２００の使用を許可すると、主制御部１１０が一時的に記憶部２１６に許可の情報を書き込み、所定時間経過後にふたたび不可の情報を書き込む。これにより、使用者が許可しない限り磁界通信が行われることがなくなるため、紛失した場合などに情報を読み出されたり、決済をされてしまったりすることを防止できるため、携帯端末のセキュリティを向上させることができる。
【００３５】
コンデンサ２１８（調整手段）は、ループアンテナ２０２との接続を有効にすることによって、その共振周波数を調整する。調整手段の例としては、コンデンサの他にも、コイルや、追加のアンテナなどを挙げることができる。コンデンサ２１８は１つでもよいが、本実施形態においてはループアンテナ２０２に対して並列に複数取り付けられている。複数のコンデンサ２１８を取り付ける場合には、同じ容量でもよいし、異なる容量であってもよい。これにより、値の異なるコンデンサ２１８に切り替えたり、有効とするコンデンサ２１８の数を増減させたりすることができ、ループアンテナ２０２の共振周波数を適切に調整することができる。
【００３６】
ＦＥＴ２２０は各コンデンサ２１８ごとに設けられ、ＯＮすることによってコンデンサ２１８を回路に接続して有効にし、ＯＦＦすることによって回路から切断して無効にする。本実施形態においてＦＥＴ２２０はコンデンサ２１８とグランドの間に配置されている。
【００３７】
切替制御部２２２（ポートコントローラ）は、ＦＥＴ２２０のゲートに電圧を印加し、そのＯＮ／ＯＦＦを制御する。切替制御部２２２は複数の出力端子を備え、複数のコンデンサ２１８が設置されている場合には個別に接続し、個別にＯＮ／ＯＦＦ制御することができる。
【００３８】
プルアップ電源２２４は、所定の電圧を生成するレギュレータ２２６と、プルアップ抵抗２２８とから構成されている。プルアップ抵抗２２８の一端はレギュレータ２２６の出力に接続され、他端はＦＥＴ２２０とコンデンサ２１８との間に接続されている。これによりＦＥＴ２２０がＯＦＦしている間は、ＦＥＴ２２０のドレイン（コンデンサ２１８側）の電位はプルアップ電源の電位と等しくなり、寄生ダイオードによるグランド線からくるノイズや、ＦＥＴ２２０のラッチアップを防止することができる。
【００３９】
次に、本実施形態における特徴的な動作について説明する。図３は切替制御部２２２の動作を説明するフローチャートであって、図３（ａ）は基本的な動作の例、図３（ｂ）はさらに使用許可情報を考慮する例である。
【００４０】
図３（ａ）は、図２（ａ）に示したように、記憶部２１６にコンデンサ２１８の有効または無効の情報が記憶されている場合の動作である。まず、磁界通信が行われていない状態においては、全てのＦＥＴ２２０はＯＦＦとなっているものとする。通信検知部２１４が磁界通信が開始されたと検知すると（Ｓ３１０）、通信検知部２１４は磁界通信部２１０にその旨を通知する（Ｓ３１２）。磁界通信部２１０は切替制御部２２２に通信の開始を通知する（Ｓ３１４）。切替制御部２２２は、記憶部２１６を参照してコンデンサ２１８の有効または無効の情報を読み出す（Ｓ３１８）。コンデンサ２１８が複数ある場合には、各コンデンサ２１８ごとに情報の読み出しを行う。
【００４１】
そして切替制御部２２２は、あるコンデンサ２１８について有効／無効を判断し（Ｓ３２０）、有効であると記憶されていた場合には対応するＦＥＴ２２０をＯＮさせる（Ｓ３２２）。これによりコンデンサ２１８は回路に接続されて有効となり、ループアンテナの共振周波数を変更させることができる。すなわち、図２（ａ）に示しているように、コンデンサ２１８（調整手段）が有効であり、かつ磁界通信が行われている場合にのみ、ＦＥＴ２２０をＯＮさせてコンデンサ２１８を有効にする。
【００４２】
全てのコンデンサ２１８について処理していない場合には（Ｓ３２４）、次のコンデンサ２１８について情報を読み出す（Ｓ３１８に戻る）。全てのコンデンサ２１８について処理が完了すると（Ｓ３２４）、磁界通信部２１０が磁界通信を実施する（Ｓ３２６）。通信が終了すると、磁界通信部２１０から切替制御部２２２にその旨を通知し（Ｓ３２８）、切替制御部２２２は全てのＦＥＴ２２０をＯＦＦさせる（Ｓ３３０）。
【００４３】
上記構成によれば、磁界通信が行われている間のみにＦＥＴ２２０をＯＮさせることができる。したがって、磁界通信が行われていない間は、プルアップ電源２２４からＦＥＴ２２０を介してリーク電流が流れず、浪費される電力量を最小限度に留めることができる。これにより、ループアンテナ２０２の共振周波数を調整可能としつつも、リーク電流が流れる時間を極めて短時間にすることができる。
【００４４】
図３（ｂ）は、図２（ｂ）に示したように、記憶部２１６にさらにＲＦＩＤ部２００の使用許否情報が記憶されている場合の動作である。図３（ａ）のフローチャートと動作が異なる部分のみについて説明する。
【００４５】
切替制御部２２２は、磁界通信部２１０から通信の開始を通知されると（Ｓ３１４）、記憶部を参照して使用許否情報を読み出す（Ｓ３１６）。使用許否情報が「不可」であった場合には、そのまま終了する（Ｓ３１７）。使用許可情報が「許可」であった場合には、コンデンサ２１８の有効または無効の情報を読み出し、有効なコンデンサ２１８に対応するＦＥＴ２２０をＯＮさせる（Ｓ３１８〜Ｓ３２４）。
【００４６】
すなわち図２（ｂ）に示すように、記憶部２１６を参照してコンデンサ２１８が有効であり、使用許否情報が許可されており、かつ通信検知部２１４を参照して磁界通信が行われている場合にのみ、コンデンサ２１８を有効にしている。これにより、リーク電流を削減できることに加えて、セキュリティを高めることができる。
【００４７】
［第２実施形態］
本発明に係る携帯端末の第２実施形態について説明する。図４は第２実施形態に係る携帯端末の概略構成を説明する機能ブロック図である。上記第１実施形態と説明の重複する部分については、同一の符号を付して説明を省略する。
【００４８】
上記第１実施形態おいては、調整手段（コンデンサ２１８）が有効であり、かつ磁界通信が行われている場合に、ＦＥＴをＯＮさせて調整手段を有効にすると説明した。これに対し第２実施形態は、条件が揃った場合にのみプルアップ電源２２４をＯＮさせる構成である。
【００４９】
図４に示すように、レギュレータ２２６とプルアップ抵抗２２８の間には、プルアップ電源のスイッチ２３０が設けられている。複数のコンデンサ２１８が設置されている場合には、それぞれにスイッチ２３０を設置する。スイッチ２３０は、例えばＦＥＴやバイポーラトランジスタなどの半導体スイッチで構成することができる。
【００５０】
切替制御部２２２は、出力端子の一つをスイッチ２３０のゲートに接続しており、動的にスイッチ２３０のＯＮ／ＯＦＦ制御をすることができる。
【００５１】
図５は第２実施形態に係る切替制御部２２２の動作を説明するフローチャートである。切替制御部２２２があるコンデンサ２１８について有効／無効を判断し（Ｓ３２０）、有効であると記憶されていた場合には対応するスイッチ２３０をＯＮさせる（Ｓ３４０）。すなわち切替制御部２２２は、記憶部２１６を参照してコンデンサ２１８（調整手段）が有効であり、かつ通信検知部２１４を参照して磁界通信が行われている場合にのみ、プルアップ電源２２４をＯＮさせてコンデンサ２１８を有効にする。これによりコンデンサ２１８のグランド側にはプルアップ電源が接続され、寄生ダイオードを通じたグランドからのノイズを遮断し、ループアンテナ２０２から適切に信号を得ることができる。
【００５２】
したがって、ループアンテナの共振周波数を調整可能としつつも、リーク電流が流れる時間を極めて短時間にすることができ、消費電力を削減することを目的としている。
【００５３】
なお、第２実施形態の構成においては、磁界通信を行っていない場合にはプルアップ電源を停止するために、ＦＥＴ２２０をＯＮしたままであってもリーク電流を防止することができる。ただしＦＥＴ２２０のドレインよりもゲートの方が電圧が高くなるためにラッチアップ現象を生じるおそれがあるため、ＦＥＴ２２０もスイッチ２３０と共にＯＮ／ＯＦＦさせることが望ましい。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、ループアンテナの共振周波数を調整可能な無線通信装置として利用することができる。
【図面の簡単な説明】
【００５６】
【図１】第１実施形態に係る携帯端末の概略構成を説明する機能ブロック図である。
【図２】記憶部の構成を説明する図である。
【図３】第１実施形態に係る切替制御部の動作を説明するフローチャートである。
【図４】第２実施形態に係る携帯端末の概略構成を説明する機能ブロック図である。
【図５】第２実施形態に係る切替制御部の動作を説明するフローチャートである。
【符号の説明】
【００５７】
１０…携帯端末、１００…本体機能部、１１０…主制御部、１１２…主電源部、１２…バッテリ、１２０…メモリ、１２２…表示部、１２４…操作部、１２６…音声入力部、１２８…音声出力部、１３０…無線通信部、２００…ＲＦＩＤ部、２０２…ループアンテナ、２１０…磁界通信部、２１２…ＲＦＩＤ電源部、２１４…通信検知部、２１６…記憶部、２１８…コンデンサ、２２０…ＦＥＴ、２２２…切替制御部、２２４…プルアップ電源、２２６…レギュレータ、２２８…プルアップ抵抗、２３０…スイッチ
【図１】
2010130257.tif 000003
【図２】
2010130257.tif 000004
【図３】
2010130257.tif 000005
【図４】
2010130257.tif 000006
【図５】
2010130257.tif 000007